(57)【要約】  【課題】  繁雑な前出し作業を簡素化できる商品陳列棚を得ること。  【解決手段】  棚板スライド式商品陳列棚１０は、長手方向に等間隔に離間した爪穴１２１を設けた支柱１２を有する架台１１と、支柱１２に着脱自在に片持ち梁状に装着される複数組のスライド棚板組立体１３とからなる。各組のスライド棚板組立体１３は、支持フレーム１４と、支持フレームに着脱自在に装着されかつ支柱１２に関して前後方向にスライド自在の棚板１５とを含む。各組のスライド棚板組立体１３には、スライド機構１６、位置決め機構１７が設けられる。【選択図】    図１４
2006280905.tif 000002
【特許請求の範囲】
【請求項１】
長手方向に等間隔に離間した爪穴を設けた支柱を有する架台と、前記支柱に着脱自在に片持ち梁状に装着される支持フレームおよび該支持フレームに着脱自在に装着されかつ前記支柱に関して前後方向にスライド自在の棚板を含む複数組のスライド棚板組立体とを備え、
前記スライド棚板組立体の各々の組にスライド機構および位置決め機構を設けた、
棚板スライド式商品陳列棚。
【請求項２】
前記支持フレームは、支持フレーム本体と、前記支柱に関して前後方向に延びるように前記支持フレーム本体に固定されかつ後方基端付近に落込み切欠部を有する支持レールと、前記支持フレーム本体の後方基端に設けられかつ前記支柱の爪穴に着脱自在に係合する複数の爪と、前記後方基端と反対側の前方先端において前記支持レールに回転自在に取り付けられた支持ローラと、前記支柱に関して左右方向に延びるように前記前方先端側において前記支持フレーム本体に固定された掛止横桟とを含み、
前記棚板は、棚板本体と、前記支柱に関して前後方向に延びるように前記棚板本体に固定された棚板レールと、前記棚板レールの後方基端に回転自在に取り付けられた棚板ローラとを含み、
前記棚板レールは、前記前方先端付近において下方に突出する掛止突起と、前記後方基端と前記前方先端との中間にある所定位置において下方に延びる掛止段部とを有するように構成された、
請求項１に記載の棚板スライド式商品陳列棚。
【請求項３】
前記スライド機構は、前記支持レール、前記支持ローラ、前記棚板レール、前記棚板ローラを含み、
前記位置決め機構は、前記支持ローラ、前記掛止横桟、前記棚板ローラ、前記棚板レールから下方に突出する前記掛止突起、前記棚板レールの下方に延びる掛止段部を含む、
請求項２に記載の棚板スライド式商品陳列棚。
【請求項４】
前記支持レールはＵ字断面に形成され、前記棚板レールはＬ字断面に形成された、請求項２に記載の棚板スライド式商品陳列棚。
【請求項５】
前記前記スライド棚板組立体の各々の組において、前記スライド機構および前記位置決め機構によって、前記棚板が前記支持フレームに組み付けられて正規後方位置にあるとき、棚板ローラが前記支持フレームの落込み切欠部を通り抜けて前記支持レール上に乗り、前記支持ローラが前記棚板レールを受け、前記支持ローラが前記棚板の掛止突起に接触し、
前記棚板が前記支持フレームに組み付けられかつ前記掛止突起が前記支持ローラを乗り越えて前方に最大限引き出された最大引出し位置にあるとき、前記棚板の掛止段部が前記支持フレームの掛止横桟に接触するように構成された、
請求項３に記載の棚板スライド式商品陳列棚。
【請求項６】
前記支持フレームは、支持フレーム本体と、前記支柱に関して前後方向に延びるように前記支持フレーム本体に固定されかつ後方基端付近に落込み切欠部を有する支持レールと、前記支持フレーム本体の後方基端に設けられかつ前記支柱の爪穴に着脱自在に係合する複数の爪と、前記後方基端と反対側の前方先端において前記支持レールに回転自在に取り付けられた支持ローラと、前記支柱に関して左右方向に延びるように前記前方先端側において前記支持フレーム本体に固定された掛止横桟と、該掛止横桟の所定位置に回動自在かつ着脱自在に取り付けられた掛け金とを含み、
前記棚板は、棚板本体と、前記支柱に関して前後方向に延びるように前記棚板本体に固定された棚板レールと、前記棚板レールの後方基端に回転自在に取り付けられた棚板ローラとを含み、
前記棚板本体は、前記前方先端下側付近において上方に折り曲げられたフック部を含み、
前記棚板レールは、前記後方基端と前記前方先端との中間にある所定位置において下方に延びる掛止段部を有するように構成された、
請求項１に記載の棚板スライド式商品陳列棚。
【請求項７】
前記スライド機構は、前記支持レール、前記支持ローラ、前記棚板レール、前記棚板ローラを含み、
前記位置決め機構は、前記掛止横桟、前記棚板ローラ、前記掛け金、前記棚板本体から上方に折り曲げられたフック部、前記棚板レールの下方に延びる掛止段部を含む、
請求項６に記載の棚板スライド式商品陳列棚。
【請求項８】
前記支持レールはＵ字断面に形成され、前記棚板レールはＬ字断面に形成された、請求項６に記載の棚板スライド式商品陳列棚。
【請求項９】
前記前記スライド棚板組立体の各々の組において、前記スライド機構および前記位置決め機構によって、前記棚板が前記支持フレームに組み付けられて正規後方位置にあるとき、棚板ローラが前記支持フレームの落込み切欠部を通り抜けて前記支持レール上に乗り、前記支持ローラが前記棚板レールを受け、前記掛け金が前記棚板本体のフック部と係合し、
前記棚板が前記支持フレームに組み付けられかつ前記掛け金が前記フック部から外されて前方に最大限引き出された最大引出し位置にあるとき、前記棚板の掛止段部が前記支持フレームの掛止横桟に接触するように構成された、
請求項７に記載の棚板スライド式商品陳列棚。
【発明の詳細な説明】
【技術分野】
【０００１】
本発明は、スライド棚板組立体を備えた棚板スライド式商品陳列棚に関する。
【背景技術】
【０００２】
商店、コンビニエンス・ストア、スーパーマーケット、百貨店等の売場においては、商品を陳列棚に陳列して販売している。商品が売れて商品陳列棚板手前に空きが生じると、商品の補充作業が行われる。通常、この補充作業は、棚板の空き場所に直接商品を補充するのではなく、残った商品を棚板手前に移動させ、後部の空いた場所に新しい商品を置いている。このように、商品が常に先入れ・先出しになることを繰り返して、旧い商品の残留を防止すると共に、常に整頓された売場作りを目指している。このような商品の補充作業を、当業界では通常「前出し作業」と呼んでいる。
【０００３】
通常の商品陳列棚は、陳列効果、積載効果等の面から商品の高さとほぼ同等の間隔に設定されている。前出し作業を円滑に行うためには、棚板手前に移した残留商品の頭越しに棚板後部に新しい商品を補充することが望ましい。しかし、棚板間隔が狭く設定されているので、前出し作業は繁雑で手間がかかる。
【０００４】
従来の商品陳列棚における前出し作業の一例について、図２４を参照して説明する。図２４に示すように、一般の商品陳列棚１は架台１１に支柱１２が固定され、支柱１２に棚板２が着脱自在に装着されている。商品３は棚板２上に整然と陳列される。棚板２が支柱１２に一旦装着されると、棚板２の高さ位置および前後位置は調節できない構造になっている。
【０００５】
図２４の（Ａ）図に示すように、特定の棚板２上に陳列してある特定の商品３が売れて、棚板２の前側に空き場所４が生じたとき、補充用カート５に補充商品３ｂを積んで、その特定の商品陳列棚１まで移動する。前述したように、棚板間隔が狭く設定されているために商品の頭越し置換えができないので、残留商品３ａを一旦補充用カート５に移し、棚板２上には何も無い状態にする（（Ｂ）図）。次いで、新しい商品３ｂを棚板２の後方に補充し（（Ｃ）図）、最後に残留商品３ａを棚板２の前方に再度置き直す（（Ｄ）図）。この作業は日常頻繁に行われている。
【発明の開示】
【発明が解決しようとする課題】
【０００６】
このように、前出し作業は繁雑で手間がかかり、多大な時間と労力とを必要とする。その結果、迅速な対応が困難となり、常に整頓された売場保持ができず、売場の商品陳列効果が低下し、先入れ・先出しの原則を維持できない問題も起こる。このような問題を解消するために、繁雑な前出し作業を簡素化できる商品陳列棚が要請されている。
【課題を解決するための手段】
【０００７】
本発明に基づく棚板スライド式商品陳列棚は、長手方向に等間隔に離間した爪穴を設けた支柱を有する架台と、支柱に着脱自在に片持ち梁状に装着される支持フレームおよび支持フレームに着脱自在に装着されかつ支柱に関して前後方向にスライド自在の棚板を含む複数組のスライド棚板組立体とを備えている。スライド棚板組立体の各々の組にスライド機構および位置決め機構が設けられる。
【０００８】
本発明の第１観点においては、支持フレームは、支持フレーム本体と、支柱に関して前後方向に延びるように支持フレーム本体に固定されかつ後方基端付近に落込み切欠部を有する支持レールと、支持フレーム本体の後方基端に設けられかつ支柱の爪穴に着脱自在に係合する複数の爪と、後方基端と反対側の前方先端において支持レールに回転自在に取り付けられた支持ローラと、支柱に関して左右方向に延びるように前方先端側において支持フレーム本体に固定された掛止横桟とを含む。
【０００９】
棚板は、棚板本体と、支柱に関して前後方向に延びるように棚板本体に固定された棚板レールと、棚板レールの後方基端に回転自在に取り付けられた棚板ローラとを含む。棚板レールは、後方基端と反対側の前方先端付近において下方に突出する掛止突起と、後方基端と前方先端との中間の所定位置において下方に延びる掛止段部とを含む。
【００１０】
スライド機構は、支持レール、支持ローラ、棚板レール、棚板ローラを含む。位置決め機構は、支持ローラ、掛止横桟、棚板ローラ、棚板レールから下方に突出する掛止突起、棚板レールの下方に延びる掛止段部を含む。
【００１１】
支持レールが横倒しＵ字断面（コ字断面）に形成され、また、棚板レールがＬ字断面に形成されることが好ましい。
【００１２】
スライド棚板組立体の各々の組において、スライド機構および位置決め機構によって、棚板が支持フレームに組み付けられて正規後方位置にあるとき、棚板ローラが支持フレームの落込み切欠部を通り抜けて支持レール上に乗り、支持ローラが棚板レールを受け、支持ローラが棚板の掛止突起に接触する。また、棚板が支持フレームに組み付けられかつ掛止突起が支持ローラを乗り越えて前方に最大限引き出された最大引出し位置にあるとき、棚板の掛止段部が支持フレームの掛止横桟に接触する。
【００１３】
本発明の第２観点においては、支持フレームは、支持フレーム本体と、支柱に関して前後方向に延びるように支持フレーム本体に固定されかつ後方基端付近に落込み切欠部を有する支持レールと、支持フレーム本体の後方基端に設けられかつ支柱の爪穴に着脱自在に係合する複数の爪と、後方基端と反対側の前方先端において支持レールに回転自在に取り付けられた支持ローラと、支柱に関して左右方向に延びるように前方先端側において支持フレーム本体に固定された掛止横桟と、掛止横桟の所定位置に回動自在かつ着脱自在に取り付けられた掛け金とを含む。
【００１４】
棚板は、棚板本体と、支柱に関して前後方向に延びるように棚板本体に固定された棚板レールと、棚板レールの後方基端に回転自在に取り付けられた棚板ローラとを含む。棚板本体は、前方先端下側付近において上方に折り曲げられたフック部を含む。棚板レールは、後方基端と前方先端との中間にある所定位置において下方に延びる掛止段部を有する。
【００１５】
スライド機構は、支持レール、支持ローラ、棚板レール、棚板ローラを含む。位置決め機構は、掛止横桟、棚板ローラ、掛け金、棚板本体から上方に折り曲げられたフック部、棚板レールの下方に延びる掛止段部を含む。
【００１６】
支持レールが横倒しＵ字断面（コ字断面）に形成され、また、棚板レールがＬ字断面に形成されることが好ましい。
【００１７】
スライド棚板組立体の各々の組において、スライド機構および位置決め機構によって、棚板が支持フレームに組み付けられて正規後方位置にあるとき、棚板ローラが支持フレームの落込み切欠部を通り抜けて支持レール上に乗り、支持ローラが棚板レールを受け、掛け金が棚板本体のフック部と係合し、棚板が支持フレームに組み付けられかつ掛け金がフック部から外されて前方に最大限引き出された最大引出し位置にあるとき、棚板の掛止段部が支持フレームの掛止横桟に接触する。
【００１８】
本明細書において、商品陳列棚の正面側を「前方」と定義し、背面側を「後方」と定義する。また、「左右方向」とは、商品陳列棚の正面に向かって左右の幅方向を言う。
【発明の効果】
【００１９】
本発明によれば、棚板を商品陳列棚の正面前方に引き出すことができるので、新旧商品の置換えを迅速かつ簡便に行うことができる。
【発明を実施するための最良の形態】
【００２０】
図面を参照して、本発明に基づく棚板スライド式商品陳列棚の実施例を説明する。図１、図２３に示すように、本発明に基づく棚板スライド式商品陳列棚１０の基本的構成は、長手方向に等間隔に離間した爪穴１２１を設けた支柱１２を有する架台１１（図２３）と、支柱１２に着脱自在に片持ち梁状に装着される複数組のスライド棚板組立体１３とを備えている。各組のスライド棚板組立体１３は、支持フレーム１４と、支持フレーム１４に着脱自在に装着されかつ支柱１２に関して前後方向にスライド自在の棚板１５とを含む。各組のスライド棚板組立体１３には、後述するスライド機構１６、位置決め機構１７が設けられる（図１４および図２２参照）。
【００２１】
本明細書において、商品陳列棚１０の正面側を「前方」と定義し、背面側を「後方」と定義する。また、「左右方向」とは、商品陳列棚１０の正面に向かって左右の幅方向を言う。図１に前後方向Ｙおよび左右方向Ｘを双方向矢印で示す。
【００２２】
まず、図１−１８を参照して、本発明にもとづくスライド棚板組立体１３の第１実施例について説明する。図４、５、１１−１３に最もよく示すように、支持フレーム１４は、平面視概略長方形の枠組を形成している。支持フレーム１４は、支持フレーム本体１４１、支持レール１４２、爪１４３、支持ローラ１４４、掛止横桟１４５を含む。支持レール１４２は、支柱１２に関して前後方向Ｙに延びるように支持フレーム本体１４１に固定されかつ後方基端付近に落込み切欠部１４６を有する。支持レール１４２は、横倒しＵ字断面（コ字断面）に形成されることが好ましい（図１６参照）。複数の爪１４３が、支持フレーム本体１４１の後方基端に設けられ、支柱１２の爪穴１２１に着脱自在に係合する。支持ローラ１４４は、後方基端と反対側の前方先端において支持レール１４２に回転自在に取り付けられる。掛止横桟１４５は、支柱１２に関して左右方向Ｘに延びるように前方先端側において支持フレーム本体１４１に固定される。
【００２３】
図２、３、７−９に最もよく示すように、棚板１５は、平面視概略長方形の枠組を形成している。棚板１５は、棚板本体１５１、棚板レール１５２、棚板ローラ１５３を含む。棚板レール１５２は、支柱１２に関して前後方向Ｙに延びるように棚板本体１５１に固定さる。棚板レール１５２は、Ｌ字断面に形成されることが好ましい（図９参照）。棚板ローラ１５３は、棚板レール１５２の後方基端に回転自在に取り付けられる。棚板レール１５２は、後方基端と反対側の前方先端付近において下方に突出する掛止突起１５４と、後方基端と前方先端との中間の所定位置において下方に延びる掛止段部１５５とを含む。
【００２４】
図６、１４−１７に最もよく示すように、第１実施例における各組のスライド棚板組立体１３は、支持フレーム１４と、支持フレーム１４に着脱自在に装着されかつ支柱１２に関して前後方向Ｙにスライド自在の棚板１５とを含む。
【００２５】
各スライド棚板組立体１３を組み立てるさいには、図６の（Ａ）図および図１４に示すように、先ず棚板１５を支持フレーム１４の上に置き、支持フレーム１４および棚板１５の前後左右を揃える。両者が適切な位置に重なったとき、棚板ローラ１５３が支持フレーム１４の落込み切欠部１４６を通り抜けて支持レール１４２上に乗り、支持ローラ１４４が棚板レール１５２を受け、支持ローラ１４４が棚板１５の掛止突起１５４の前方垂直縁１５４ａ（図７、１４参照）に接触する。この状態で棚板１５を支持フレーム１４に関してさらに後方へ押し付けても、支持フレーム本体１４１と棚板本体１５１とが互いに干渉して後方移動を妨げる。支持フレーム１４と棚板１５とのこの相対位置関係を、後述する正規後方位置と呼ぶ。
【００２６】
スライド棚板組立体１３の組立作業は、支持フレーム１４を支柱１２に取り付けた状態または取り外した状態のいずれの状態において行ってもよい。
【００２７】
第１実施例のスライド棚板組立体１３において、図７−１７に示すように、スライド機構１６は、支持レール１４２、支持ローラ１４４、棚板レール１５２、棚板ローラ１５３を含む。位置決め機構１７は、支持ローラ１４４、掛止横桟１４５、棚板ローラ１５３、棚板レール１５２から下方に突出する掛止突起１５４、棚板レール１５２の下方に延びる掛止段部１５５を含む。
【００２８】
次に、図１８を参照して、第１実施例のスライド棚板組立体１３の動作について説明する。スライド棚板組立体１３は、スライド機構１６および位置決め機構１７によって、棚板１５が支持フレーム１４に組み付けられて正規後方位置にあるとき（図６の（Ａ）図、図１４、図１８の（Ａ）図）、前述したように棚板ローラ１５３が支持フレーム１４の落込み切欠部１４６を通り抜けて支持レール１４２上に乗り、支持ローラ１４４が棚板レール１５２を受け、支持ローラ１４４が棚板１５の掛止突起１５４の前方垂直縁１５４ａに接触する。棚板１５がこの正規後方位置にあるときは、支持ローラ１４４と掛止突起１５４の前方垂直縁１５４ａとが掛止しているので、棚板１５を水平にしたままの状態では前方に引き出すことはできない。前述したように、棚板１５をさらに後方に押し入れることもできない。
【００２９】
図１８の（Ｂ）図に示すように、作業者が棚板１５の前方端をわずかに上方に引き上げながら前方に引き出すと、掛止突起１５４が支持ローラ１４４を乗り越えて棚板１５が前方に引き出される（（Ｃ）図）。棚板１５が前方に所定距離移動すると、棚板ローラ１５３は落込み切欠部１４６の下を通過し、通常の横倒しＵ字断面（コ字断面）の支持レール１４２内に進入する（図１６参照）。このとき、棚板ローラ１５３と支持レール１４２の上フランジとの間にはわずかな間隙が設けられている（図１６参照）。棚板１５は支持ローラ１４４と棚板ローラ１５３とによって支持されて、円滑に前方に移動する。棚板１５が前方に最大限引き出された最大引出し位置に到達したとき、棚板１５の掛止段部１５５が支持フレーム１４の掛止横桟１４５に接触し、それ以上の前進移動が阻止される（（Ｄ）図）。
【００３０】
上記と逆の動作を行うことによって、棚板１５は正規後方位置地に戻される。
【００３１】
棚板１５が前進・後退移動中または最大引出し位置にあるとき、図１６、１７、および図１８の（Ｄ）図に示すように、棚板ローラ１５３は、支持レール１４２の上下フランジに挟まれた状態にあるので、棚板１５が支持ローラ１４４を支点として図１８において反時計方向に回転して支持フレーム１４から外れることはない。
【００３２】
上述した第１実施例のスライド棚板組立体１３においては、棚板１５が正規後方位置と最大限引出し位置との間で往復移動するさいに、棚板１５の掛止突起１５４が支持フレーム１４の支持ローラ１４４を乗り越える動作を伴う。この乗り越え動作が棚板１５に振動を与え、商品の配列を乱す場合もある。そこで、このような振動を未然に防ぐために、スライド棚板組立体１３の第２実施例が構成されてもよい。
【００３３】
第２実施例のスライド棚板組立体１３は、上述した第１実施例のスライド棚板組立体１３と基本的構成は実質的に同一であるので、相違点を主に説明する。同一参照番号は、同一構成要素および部分を示す。
【００３４】
第２実施例のスライド棚板組立体１３を図１９−２２に示す。支持フレーム１４は、図１９、２０に最もよく示すように、支持フレーム本体１４１と、支柱１２（図１参照）に関して前後方向Ｙに延びるように支持フレーム本体１４１に固定されかつ後方基端付近に落込み切欠部１４６（図１１参照）を有する支持レール１４２と、支持フレーム本体１４１の後方基端に設けられかつ支柱１２の爪穴１２１に着脱自在に係合する複数の爪１４３と、後方基端と反対側の前方先端において支持レール１４２に回転自在に取り付けられた支持ローラ１４４と、支柱１２に関して左右方向Ｘに延びるように前方先端側において支持フレーム本体１４１に固定された掛止横桟１４５と、掛止横桟１４５の所定位置に回動自在かつ着脱自在に取り付けられた掛け金１４７とを含む。
【００３５】
掛け金１４７は、図２０、２１に最もよく示すように、平面視概略長方形の板状体であって、先端側に爪１４７ａが設けられ、後端側に装着部１４７ｂが設けられている。爪１４７ａは下方に屈折されたＶ字形状をしており、また、装着部１４７ｂは下方に屈曲されたＬ字形状をしている。装着部１４７ｂの幅は、後述する理由で爪１４７ａの幅よりも小さく形成されている。爪１４７ａは後述するフック部１５１ａに着脱自在に係合し、また、装着部１４７ｂは後述するスロット１４８に回動自在かつ着脱自在に装着される。装着部１４７ｂの幅が爪１４７ａの幅よりも小さく形成されているので、掛け金１４７がスロット１４８を通り抜けてしまうおそれはない。常態時においては、掛止横桟１４５のスロット１４８内に嵌め込まれた装着部１４７ｂを支点として、掛け金１４７は、掛止横桟１４５上に乗って水平位置に保持される（図２１）。しかし、掛け金１４７に外力が作用したとき、掛止横桟１４５のスロット１４８内に嵌め込まれた装着部１４７ｂを支点として掛け金１４７は図２１において時計方向または反時計方向に回動できる。しかしこの場合、時計方向には掛け金１４７が棚板本体１５１に接触するまでの回動が限度であり、また、反時計方向には掛け金１４７が掛止横桟１４５に接触するまでが限度である。掛け金１４７を掛止横桟１４５に着脱自在に装着する理由は、スライド棚板組立体１３の洗浄、清掃等の作業を簡便にするためである。
【００３６】
図２０、２１に示すように、掛止横桟１４５の後端側に前述したスロット１４８が設けられ、掛け金１４７の装着部１４７ｂを回動自在かつ着脱自在に支持する。スロット１４８は、掛止横桟１４５の左右方向Ｘの両端または中央に設けられることが好ましい。これは作業の簡便を図るためである。
【００３７】
棚板１５は、図２２に示すように、棚板本体１５１と、支柱１２に関して前後方向に延びるように棚板本体１５１に固定された棚板レール１５２と、棚板レール１５２の後方基端に回転自在に取り付けられた棚板ローラ１５３とを含む。棚板本体１５１は、前方先端下側付近において上方に折り曲げられたフック部１５１ａを含む。棚板レール１５２は、後方基端と前方先端との中間にある所定位置において下方に延びる掛止段部１５５を有する。
【００３８】
スライド機構１６は、支持レール１４２、支持ローラ１４４、棚板レール１５２、棚板ローラ１５３を含む。位置決め機構１７は、掛止横桟１４５、棚板ローラ１５３、掛け金１４７、棚板本体から上方に折り曲げられたフック部、棚板レール１５２の下方に延びる掛止段部１５５を含む。
【００３９】
支持レール１４２が横倒しＵ字断面（コ字断面）に形成され、また、棚板レール１５２がＬ字断面に形成されることが好ましい。
【００４０】
第２実施例のスライド棚板組立体１３の各組において、図２２に示すように、スライド機構１６および位置決め機構１７によって、棚板１５が支持フレーム１４に組み付けられて正規後方位置にあるとき（（Ａ）図）、棚板ローラ１５３が支持フレーム１４の落込み切欠部１４６（図１１参照）を通り抜けて支持レール１４２上に乗り、支持ローラ１４４が棚板レール１５２を受け、掛け金１４７の爪１４７ａが棚板本体１５１のフック部１５１ａと係合する。正規後方位置においては、爪１４７ａがフック部１５１ａに係合しているので、棚板１５を支持フレーム１４から前方に引き出すことはできない。また、前述したように、棚板１５が正規後方位置にあるときは、棚板１５を支持フレーム１４に関してさらに後方へ押し付けても、支持フレーム本体１４１と棚板本体１５１とが互いに干渉して後方移動を妨げる。
【００４１】
棚板１５が正規後方位置にあるとき、図２２の（Ｂ）図に示すように、作業者が棚板１５の裏面に指を入れて、力Ｆで掛け金１４７を押し上げることによって、爪１４７ａがフック部１５１ａから外れる。作業者はそのまま棚板１５を前方に引き出すことができる。作業者が掛け金１４７から指を外したとき、掛け金１４７は自重で落下し、掛止横桟１４５上に乗り、そこで停止する（図２２の（Ｃ）図参照）。作業者が棚板１５をそのまま前方に引き出し続けたとき、棚板本体１５１の掛止段部１５５が掛止横桟１４５に突き当たり、棚板１５は最大引出し位置で停止される（図２２の（Ｃ）図参照）。
【００４２】
棚板１５を最大引出し位置（図２２の（Ｃ）図）から正規後退位置（図２２の（Ａ）図）まで戻すときには、作業者は棚板１５をそのまま後方に押し戻せばよい。このとき、棚板本体１５１のフック部１５１ａが掛け金１４７のＶ字形爪１４７ａを押し上げ、フック部１５１ａと爪１４７ａとが係合する（図２２の（Ａ）図参照）。棚板１５をさらに押し戻しても、支持フレーム本体１４１と棚板本体１５１とが互いに干渉して後方移動を妨げる。このとき、棚板１５は正規後退位置にある。
【００４３】
次に、図２３を参照して、本発明に基づく棚板スライド式商品陳列棚１０の前出し作業について説明する。図２４に示す従来の式商品陳列棚１と対比したとき、本発明に基づく棚板スライド式商品陳列棚１０の前出し作業がいかに簡便になるかが明らかになるであろう。
【００４４】
図２３の（Ａ）図に示すように、特定のスライド棚板組立体１３の棚板１５上に陳列してある特定の商品３が売れて、棚板１５の前側に空き場所４が生じたとき、補充用カート５に補充商品３ｂを積んで、その特定の商品陳列棚１まで移動する。前述したように、棚板間隔が狭く設定されているために商品の頭越し置換えができないので、棚板１５を前方に最大限引き出す（（Ｂ）図）。次いで、旧い商品３ａを棚板１５の空き場所４へ移動させる（（Ｃ）図）。新しい商品３ｂを棚板１５の後方に補充し（（Ｄ）図）、最後に棚板１５を最初の正規位置まで押し戻す（（Ｅ）図）。この前出し作業においては、旧い商品を一旦補充用カートに降ろし、新しい商品の設置後、旧い商品を再度棚板に戻す工程が省略されるので、前出し作業の省力化が図られる。
【産業上の利用可能性】
【００４５】
本発明は、商店等の商品陳列棚に適用されるばかりではなく、展示会場、劇場等の陳列棚、製造工場等における部品、工具、材料等の整理棚としても使用することができる。
【図面の簡単な説明】
【００４６】
【図１】本発明に基づくスライド式商品陳列棚の斜視図である。
【図２】本発明に基づくスライド棚板組立体を構成する棚板の上面斜視図である。
【図３】図２に示す棚板の裏面斜視図である。
【図４】本発明に基づくスライド棚板組立体の第１実施例を構成する支持フレームの上面斜視図である。
【図５】図４に示す支持フレームの裏面斜視図である。
【図６】（Ａ）図は支持フレームに棚板を組み付けたスライド棚板組立体の第１実施例の上面斜視図であって、棚板が正規後方位置にある状態を示す。（Ｂ）図は（Ａ）図と同様な図面であって、棚板が前方に移動途中にある状態を示す。
【図７】図２のＶＩＩ−ＶＩＩ線から見た棚板の横断面図である。
【図８】図７に示す棚板の一部の裏面図である。
【図９】図７のＩＸ−ＩＸ線から見た棚板の一部の断面図である。
【図１０】図７のＸ−Ｘ線から見た棚板の一部の断面図である。
【図１１】図４のＸＩ−ＸＩ線から見た支持フレームの横断面図である。
【図１２】図１１に示す支持フレームの一部の平面図である。
【図１３】図１１のＸＩＩＩ−ＸＩＩＩ線から見た支持フレームの一部断面図である。
【図１４】図６の（Ａ）図のＸＩＶ−ＸＩＶ線から見たスライド棚板組立体の横断面図である。
【図１５】図６の（Ａ）図のＸＶ−ＸＶ線から見たスライド棚板組立体の一部縱断面図である。
【図１６】図６の（Ａ）図のＸＶＩ−ＸＶＩ線から見たスライド棚板組立体の縱断面図である。
【図１７】図１４のＸＶＩＩ−ＸＶＩＩ線から見たスライド棚板組立体の一部縱断面図である。
【図１８】図１４と同様な図面の一部であって、スライド棚板組立体の第１実施例の動作を示す。
【図１９】本発明に基づくスライド棚板組立体の第２実施例を構成する支持フレームの上面斜視図である。
【図２０】図１９に示す支持フレームの平面図である。
【図２１】図２０のＸＸＩ−ＸＸＩ線から見た掛け金の縦断面図である。
【図２２】図１４と同様な図面の一部であって、スライド棚板組立体の第２実施例の動作を示す。
【図２３】本発明に基づくスライド式商品陳列棚の前出し作業の説明図である。
【図２４】従来の商品陳列棚の前出し作業の説明図である。
【符号の説明】
【００４７】
１０    スライド式商品陳列棚            １１    架台
１２    支柱                            １３    スライド棚板組立体
１４    支持フレーム                    １５    棚板
１６    スライド機構                    １７    位置決め機構
１４１    支持フレーム本体              １４２    支持レール
１４３    爪                            １４４    支持ローラ
１４５    掛止横桟                      １４６    落込み切欠部
１４７    掛け金                      １４７ａ    爪
１４８    スロット                      １５１    棚板本体
１５１ａ    フック部                      １５２    棚板レール
１５３    棚板ローラ                    １５４    掛止突起
１５５    掛止段部
【図１】
2006280905.tif 000003
【図２】
2006280905.tif 000004
【図３】
2006280905.tif 000005
【図４】
2006280905.tif 000006
【図５】
2006280905.tif 000007
【図６】
2006280905.tif 000008
【図７】
2006280905.tif 000009
【図８】
2006280905.tif 000010
【図９】
2006280905.tif 000011
【図１０】
2006280905.tif 000012
【図１１】
2006280905.tif 000013
【図１２】
2006280905.tif 000014
【図１３】
2006280905.tif 000015
【図１４】
2006280905.tif 000016
【図１５】
2006280905.tif 000017
【図１６】
2006280905.tif 000018
【図１７】
2006280905.tif 000019
【図１８】
2006280905.tif 000020
【図１９】
2006280905.tif 000021
【図２０】
2006280905.tif 000022
【図２１】
2006280905.tif 000023
【図２２】
2006280905.tif 000024
【図２３】
2006280905.tif 000025
【図２４】
2006280905.tif 000026